(57)【要約】【課題】  靴底の剥がし易さを低下させることなく、靴底を靴本体に強固に固定することができる靴を提供する。【解決手段】  足を収容する靴本体１１と、靴本体１１の底面に対応する形状及びサイズの靴底１３と、靴本体１１及び靴底１３を着脱可能に結合する第１結合部材及び第２結合部材とにより構成される。第１結合部材は、第２結合部材よりも結合力が弱く、底面の外縁に沿って第２結合部材を取り囲むように配置される。【選択図】  図４
2018192006.tif 000002
【特許請求の範囲】
【請求項１】
足を収容する靴本体と、
前記靴本体の底面に対応する形状及びサイズの靴底と、
前記靴本体及び前記靴底を着脱可能に結合する第１結合部材及び第２結合部材とを備え、
前記第１結合部材は、前記第２結合部材よりも結合力が弱く、前記底面の外縁に沿って前記第２結合部材を取り囲むように配置されることを特徴とする靴。
【請求項２】
２以上の前記第２結合部材が前記靴底の長手方向に配列され、
前記第１結合部材が前記２以上の第２結合部材を取り囲むことを特徴とする請求項１に記載の靴。
【請求項３】
前記第１結合部材は、面ファスナーからなり、
前記第２結合部材は、磁石からなることを特徴とする請求項１又は２に記載の靴。
【請求項４】
前記第１結合部材は、面ファスナーからなり、
前記第２結合部材は、吸盤からなることを特徴とする請求項１又は２に記載の靴。
【請求項５】
前記靴底は、前記底面と対向する取付面と、前記取付面の外縁から延在し、前記靴本体の下部を取り囲む側壁とを有することを特徴とする請求項１〜４のいずれかに記載の靴。
【発明の詳細な説明】
【技術分野】
【０００１】
本発明は、靴に係り、さらに詳しくは、靴本体と靴底とを着脱することができる靴の改良に関する。
【背景技術】
【０００２】
靴には、多種多様なデザイン、素材、色のものがあり、デザイン等が異なる複数の靴を買い揃えると、費用がかさむという問題があった。一方、足を収容する靴本体に対し、靴底を取り外して交換することができる靴が提案されている（例えば、特許文献１）。この特許文献１に記載の靴は、靴本体の底面と靴底の上面とに面ファスナーを形成することにより、靴本体と靴底とを容易に着脱することができる。
【０００３】
面ファスナーを用いて靴本体及び靴底を着脱可能に結合することにより、共通の靴底に対し、様々な靴本体を組み合わせて使用することができる。また、靴底を共通化することにより、製造コストの増大を抑制することができる。
【先行技術文献】
【特許文献】
【０００４】
【特許文献１】特開平６−２０９８０１号公報
【発明の概要】
【発明が解決しようとする課題】
【０００５】
上述した様な従来の着脱式の靴では、面ファスナーの吸着力が弱く、歩行中に靴底が靴本体から剥がれてしまうおそれがあった。そこで、例えば、面ファスナーの吸着力を増大させ、あるいは、面ファスナーよりも結合力が強い結合部材を用いて靴本体と靴底とを結合させることが考えられる。結合力が強い結合部材を用いると、靴底を靴本体に強固に結合させることができる。しかしながら、その様な結合部材では、靴底を靴本体から取り外しにくくなってしまうという問題があった。
【０００６】
本発明は、上記事情に鑑みてなされたものであり、靴底の取り外し易さを低下させることなく、歩行中に靴底が靴本体から脱落するのを防止することができる靴を提供することを目的とする。また、靴底の取り外し易さと脱落防止とを両立させつつ、歩行時における装着感が低下するのを防止することができる靴を提供することを目的とする。
【課題を解決するための手段】
【０００７】
本発明の第１の態様による靴は、足を収容する靴本体と、前記靴本体の底面に対応する形状及びサイズの靴底と、前記靴本体及び前記靴底を着脱可能に結合する第１結合部材及び第２結合部材とを備える。前記第１結合部材は、前記第２結合部材よりも結合力が弱く、前記底面の外縁に沿って前記第２結合部材を取り囲むように配置される。
【０００８】
この靴では、結合力が強い第２結合部材を用いることにより、靴本体及び靴底を強固に結合させることができ、歩行中に靴底が靴本体から脱落するのを防止することができる。また、結合力が強い第２結合部材を靴本体の底面の外縁を除く内側領域に配置することにより、靴本体から靴底を取り外す際に、てこの原理を利用して第２結合部材による結合を解除することができる。このため、第２結合部材によって強固に結合されていたとしても、靴底を靴本体から比較的容易に取り外すことができる。
【０００９】
また、結合力が弱い第１結合部材を靴本体の底面の外縁に沿って第２結合部材を取り囲むように配置することにより、外縁部に隙間が生じて、歩行時における装着感が低下するのを防止することができる。
【００１０】
本発明の第２の態様による靴は、上記構成に加え、２以上の前記第２結合部材が前記靴底の長手方向に配列し、前記第１結合部材が前記２以上の第２結合部材を取り囲む。この様な構成によれば、靴底の長手方向に２以上の第２結合部材を配列させることにより、歩行時に靴本体と靴底との間に隙間が生じ難くなり、装着感の低下を抑制することができる。
【００１１】
本発明の第３の態様による靴は、上記構成に加え、前記第１結合部材が、面ファスナーからなり、前記第２結合部材が、磁石からなる。この様な構成によれば、面ファスナーが靴本体の底面の外縁に沿って配置されるため、靴本体及び靴底の外縁部を面状に結合させることができる。また、磁石が靴本体の底面の内側領域に配置されるため、靴本体及び靴底の内側領域を強固に結合させることができる。
【００１２】
本発明の第４の態様による靴は、上記構成に加え、前記第１結合部材が、面ファスナーからなり、前記第２結合部材が、吸盤からなる。この様な構成によれば、面ファスナーが靴本体の底面の外縁に沿って配置されるため、靴本体及び靴底の外縁部を面状に結合させることができる。また、吸盤が靴本体の底面の内側領域に配置されるため、靴本体及び靴底の内側領域を強固に結合させることができる。
【００１３】
本発明の第５の態様による靴は、上記構成に加え、前記靴底が、前記底面と対向する取付面と、前記取付面の外縁から延在し、前記靴本体の下部を取り囲む側壁とを有するように構成される。この様な構成によれば、側壁によって靴本体の底面と靴底の取付面とのずれが制限されるため、靴底を靴本体に取り付ける際の位置合わせを容易化することができる。また、ごみなどの異物が取付面上に入り込むのを側壁によって防止することができる。
【発明の効果】
【００１４】
本発明によれば、靴本体及び靴底が強固に結合されるため、歩行中に靴底が靴本体から脱落するのを防止することができる。また、靴本体から靴底を取り外す際に、てこの原理を利用して第２結合部材による結合を解除することができるため、靴底を靴本体から比較的容易に取り外すことができる。さらに、結合力が弱い第１結合部材が靴本体の底面の外縁に沿って第２結合部材を取り囲むように配置されるため、歩行時における装着感が低下するのを防止することができる。
【図面の簡単な説明】
【００１５】
【図１】本発明の実施の形態１による靴１の一構成例を示した斜視図である。
【図２】図１の結合底板１２を示した図である。
【図３】図１の靴底１３を示した図である。
【図４】図１の靴１をＡ−Ａ切断線により切断した場合の切断面を示した断面図である。
【図５】本発明の実施の形態２による靴１ａの一構成例を示した斜視図である。
【図６】図５の靴本体１１の底面を示した図である。
【図７】図５の靴底１４の取付面を示した図である。
【図８】図５の靴１ａをＢ−Ｂ切断線により切断した場合の切断面を示した断面図である。
【発明を実施するための形態】
【００１６】
実施の形態１．
図１は、本発明の実施の形態１による靴１の一構成例を展開して示した斜視図であり、紳士用の靴の側面を斜め上方から見た場合が示されている。図２は、図１の結合底板１２を示した図であり、結合底板１２の下面が示されている。図３は、図１の靴底１３を示した図であり、靴底１３の取付面１３０ａが示されている。図４は、図１の靴１をＡ−Ａ切断線により切断した場合の切断面を示した断面図である。
【００１７】
この靴１は、靴本体１１、結合底板１２及び靴底１３により構成される履物であり、結合底板１２を取り付けた靴本体１１と靴底１３とを簡単に着脱させることができる。靴１には、デザイン、素材又は色が異なる複数の靴本体１１があり、共通の靴底１３に対し、任意に組み合わせて使用することができる。例えば、ビジネス用途のデザインの靴本体１１からカジュアルなデザインの靴本体１１へと取り換えることができる。
【００１８】
靴本体１１は、足を収容するアッパーであり、甲革部１１１及び中底１１２により構成される。甲革部１１１は、足の甲を覆う部材である。中底１１２は、上面を足裏に接触させるインソール部材である。
【００１９】
中底１１２は、例えば、平板状の部材からなり、つり込みによって外縁部が甲革部１１１の下端部に取り付けられる。甲革部１１１及び中底１１２は、甲革部１１１の下端部が中底１１２の外縁部を下側に回り込むことにより、互いに固定されている。甲革部１１１の下端部と中底１１２の外縁部とは、例えば、接着剤を用いて固定される。
【００２０】
結合底板１２は、靴本体１１と靴底１３とを着脱可能に結合するための被結合部材であり、靴本体１１の底面に取り付けられる。この結合底板１２は、基材１２０、吸着板１２１及び面ファスナー１２３により構成される。結合底板１２は、例えば、接着剤を用いて靴本体１１に固定される。
【００２１】
基材１２０は、下面に吸着板１２１及び面ファスナー１２３を固定するためのベース部材であり、靴本体１１の底面に対応する形状及びサイズの平板状の部材からなる。この基材１２０は、例えば、合成繊維又は皮革繊維からなるファイバーボードによって形成される。なお、基材１２０には、他の素材、例えば、紙や樹脂を用いてもよい。
【００２２】
吸着板１２１は、後述する磁石を吸着させるための金属製の平板であり、基材１２０の下面に取り付けられている。この吸着板１２１は、基材１２０よりも小さく、外縁と基材１２０の外縁との間に帯状に延びる環状領域が形成されている。吸着板１２１は、例えば、０．３ｍｍ〜１ｍｍ程度の厚さのステンレススチールからなり、ハトメ１２２及び接着剤を用いて基材１２０に固定されている。吸着板１２１は、厚さが厚い方が強い結合力が得られる。
【００２３】
ハトメ１２２は、基材１２０及び吸着板１２１を貫通する締結部材である。結合底板１２には、基材１２０の長手方向における位置を異ならせて２以上のハトメ１２２が配置される。この結合底板１２では、長手方向における前側のつま先部と、長手方向における後側の踵部と、つま先部及び踵部の間の位置、例えば、土踏まず部との３つの位置について、基材１２０及び吸着板１２１がハトメ１２２によって締結されている。
【００２４】
面ファスナー１２３は、ループとフックとの係合を利用して、後述する靴底側の面ファスナーと着脱可能に係合する結合部材であり、基材１２０の下面に取り付けられている。この面ファスナー１２３は、磁石よりも結合力が弱い。ここでいう結合力は、単位面積当たりの吸着力の大きさである。
【００２５】
また、面ファスナー１２３は、基材１２０の外縁に沿って帯状に延びる領域であって、吸着板１２１を取り囲む環状領域に形成されている。つまり、面ファスナー１２３は、靴本体１１の底面の外縁に沿って吸着板１２１を取り囲むように配置される。面ファスナー１２３は、例えば、１〜２ｃｍ程度の幅を有する。
【００２６】
また、面ファスナー１２３は、例えば、多数のループが吸着面に形成された牝型ファスナーであり、接着剤を用いて基材１２０に固定される。なお、面ファスナー１２３は、縫いつけによって基材１２０に固定してもよい。
【００２７】
靴底１３は、下面を路面に接触させるソールであり、靴本体１１の底面に対応する形状及びサイズの部材からなる。この靴底１３は、表底基部１３０、磁石１３１、磁石ホルダー１３２及び面ファスナー１３３により構成される。
【００２８】
表底基部１３０は、取付面１３０ａに磁石１３１及び面ファスナー１３３を固定するためのベース部材である。取付面１３０ａは、結合底板１２の下面と対向する表底基部１３０の上面である。この表底基部１３０は、踵部の厚さがつま先部や土踏まず部よりも厚い。表底基部１３０は、例えば、軟質ゴムなどの樹脂材料を用いて形成される。
【００２９】
表底基部１３０には、靴本体１１が前後方向や左右方向に移動するのを防止するために、靴本体１１の下部を取り囲む側壁１３０ｂが形成されている。この側壁１３０ｂは、取付面１３０ａの外縁から上方に向かって延在している。また、側壁１３０ｂは、靴本体１１の上下動を防止する観点から、上部が下部よりも内側に位置するように傾斜していることが望ましい。
【００３０】
磁石１３１は、磁力を利用して、結合底板１２の吸着板１２１に着脱可能に吸着させる結合部材であり、面ファスナー１２３及び１３３よりも結合力が強い。磁石１３１は、他の結合部材、例えば、面ファスナーや吸盤に比べ、耐久性に優れている。磁石１３１には、例えば、ネオジム、鉄、ホウ素の化合物からなる永久磁石（ネオジム磁石）が用いられる。この磁石１３１は、矩形の平板状部材からなり、磁石ホルダー１３２を介して表底基部１３０に固定されている。
【００３１】
磁石ホルダー１３２は、磁石１３１を保持し、磁石１３１を表底基部１３０に強固に固定するための保持部材である。この磁石ホルダー１３２は、例えば、薄型の有底円筒体からなり、内周面から内側に向かって延びる爪によって磁石１３１を保持する。磁石ホルダー１３２は、例えば、樹脂部材からなり、取付面１３０ａに埋め込んだ状態で接着剤を用いて表底基部１３０に固定される。
【００３２】
靴底１３には、靴底１３の長手方向に２以上の磁石１３１が配列される。具体的には、長手方向における前側のつま先部と、長手方向における後側の踵部と、つま先部及び踵部の間の位置、例えば、土踏まず部との３つの位置に磁石ホルダー１３２が配置されている。従って、足の力がかかるつま先部及び踵部を強固に結合させる一方、つま先部と踵部との間の土踏まず部に隙間が生じて装着感が低下するのを防止することができる。
【００３３】
結合底板１２のハトメ１２２は、磁石１３１の吸着力が低下するのを防止するために、磁石１３１とは位置を異ならせて配置される。また、磁石の吸着力が作用する位置で基材１２０及び吸着板１２１を強固に結合させるために、ハトメ１２２は、磁石１３１の近傍に配置される。吸着板１２１は、３つの磁石１３１に共通の被結合部材である。
【００３４】
面ファスナー１３３は、結合底板１２の面ファスナー１２３と着脱可能に係合する結合部材であり、取付面１３０ａの外縁に沿って帯状に延びる領域であって、吸着板１２１を取り囲む環状領域と対向する領域に形成されている。この面ファスナー１３３は、例えば、多数のフックが吸着面に形成された牡型ファスナーであり、接着剤を用いて表底基部１３０に固定される。
【００３５】
本実施の形態によれば、結合力が強い磁石１３１を用いることにより、靴本体１１及び靴底１３を強固に結合させることができ、歩行中に靴底１３が靴本体１１から脱落するのを防止することができる。また、結合力が強い磁石１３１を靴本体１１の底面の外縁を除く内側領域に配置することにより、靴本体１１から靴底１３を取り外す際に、てこの原理を利用して磁石１３１による結合を解除することができる。このため、磁石１３１によって強固に結合されていたとしても、靴底１３を靴本体１１から比較的容易に取り外すことができる。
【００３６】
また、結合力が弱い面ファスナー１２３及び１３３を靴本体１１の底面の外縁に沿って結合力が強い磁石１３１を取り囲むように配置することにより、外縁部に隙間が生じて、歩行時における装着感が低下するのを防止することができる。
【００３７】
靴本体１１と靴底１３との互いに対向する面の一部に結合されていない領域が存在する場合、足を上げた時に両者間に隙間が生じ、着地時に両者が衝突することによって、装着感が著しく低下する。具体的には、一歩ごとにパカパカという音が生じたり、その振動が足に違和感を生じさせるという問題が生じる。そこで、結合力が弱い面ファスナー１２３及び１３３を靴本体１１の底面の外縁に配置することにより、歩行時の外縁に隙間が生じるのを防止し、装着感が低下するのを防止することができる。
【００３８】
また、靴底１３の長手方向に２以上の結合力が強い磁石１３１を配列させることにより、歩行時に靴本体１１と靴底１３との間に隙間が生じ難くなり、装着感の低下を抑制することができる。
【００３９】
歩行中における靴底１３の脱落を防止する観点からは、靴底１３の長手方向の両端付近に磁石１３１を配置することが望ましいが、つま先部と踵部とに磁石１３１をそれぞれ配置した場合、両者の間隔が長くなり、歩行時に長手方向の中央部に隙間が生じ易くなる。このため、長手方向の中央付近、例えば、土踏まず部分に磁石１３１を配置することがより望ましい。
【００４０】
また、側壁１３０ｂによって靴本体１１の底面と靴底１３の取付面１３０ａとのずれが制限されるため、靴底１３を靴本体１１に取り付ける際の位置合わせを容易化することができる。また、ごみなどの異物が取付面１３０ａ上に入り込むのを側壁１３０ｂによって防止することができる。
【００４１】
なお、本実施の形態では、吸着板１２１及び面ファスナー１２３が基材１２０を介して靴本体１１の底面に固定される場合の例について説明したが、本発明は、吸着板１２１及び面ファスナー１２３の取付方法をこれに限定するものではない。例えば、吸着板１２１及び面ファスナー１２３を靴本体１１の底面に直接、取り付けるような構成であってもよい。
【００４２】
また、本実施の形態では、磁石１３１が靴底１３に配置され、吸着板１２１が靴本体側に配置される場合の例について説明したが、本発明は、磁石を靴本体側に配置し、吸着板を靴底１３に配置するような構成であってもよい。
【００４３】
実施の形態２．
実施の形態１では、磁石１３１が面ファスナー１２３及び１３３よりも結合力の強い結合部材として用いられる場合の例について説明した。これに対し、本実施の形態では、面ファスナーよりも結合力が強い結合部材として吸盤を用いる場合について説明する。
【００４４】
図５は、本発明の実施の形態２による靴１ａの一構成例を示した斜視図であり、紳士用の靴の側面を斜め上方から見た場合が示されている。図６は、図５の靴本体１１の底面を示した図である。図７は、図５の靴底１４の取付面を示した図である。図８は、図５の靴１ａをＢ−Ｂ切断線により切断した場合の切断面を示した断面図である。
【００４５】
この靴１ａは、足を収容する靴本体１１と、靴本体１１の底面に対応する形状及びサイズの靴底１４とにより構成される履物であり、靴本体１１と靴底１４とを簡単に着脱させることができる。
【００４６】
靴本体１１の底面には、面ファスナー１５及び吸着板１６が取り付けられている。吸着板１６は、後述する吸盤を吸着させるための平板であり、下面が平滑な吸着面となっている。この吸着板１６は、靴本体１１の底面よりも小さく、外縁と底面の外縁との間に帯状に延びる環状領域が形成されている。吸着板１６は、例えば、塩化ビニールなどの樹脂部材からなり、接着剤を用いて靴本体１１に固定されている。
【００４７】
面ファスナー１５は、後述する靴底側の面ファスナーと着脱可能に係合する結合部材であり、接着剤を用いて靴本体１１に固定されている。この面ファスナー１５は、吸盤よりも結合力が弱い。また、面ファスナー１５は、靴本体１１の底面の外縁に沿って帯状に延びる領域であって、吸着板１６を取り囲む環状領域に形成されている。
【００４８】
靴底１４は、表底基部１４０、吸盤１４１及び面ファスナー１４２により構成される。表底基部１４０は、上面に吸盤１４１及び面ファスナー１４２を固定するためのベース部材である。表底基部１４０は、例えば、軟質ゴムなどの樹脂材料を用いて形成される。
【００４９】
吸盤１４１は、ゴム、合成樹脂等の弾性部材からなり、圧力の差を利用して、靴本体１１の吸着板１６に着脱可能に吸着させる結合部材であり、面ファスナー１５及び１４２よりも結合力が強い。この吸盤１４１は、円形状の吸着面を上に向けた状態で、下部が表底基部１４０の上面に埋め込まれている。また、吸盤１４１は、例えば、接着剤を用いて表底基部１４０に固定される。
【００５０】
靴底１４には、靴底１４の長手方向に２以上の吸盤１４１が配列される。具体的には、長手方向における前側のつま先部と、長手方向における後側の踵部と、つま先部及び踵部の間の位置、例えば、土踏まず部との３つの位置に吸盤１４１が配置されている。従って、足の力がかかるつま先部及び踵部を強固に結合させる一方、つま先部と踵部との間の土踏まず部に隙間が生じて装着感が低下するのを防止することができる。吸着板１６は、３つの吸盤１４１に共通の被結合部材である。
【００５１】
面ファスナー１４２は、靴本体１１の面ファスナー１５と着脱可能に係合する結合部材であり、表底基部１４０の上面の外縁に沿って帯状に延びる領域であって、吸着板１６を取り囲む環状領域と対向する領域に形成されている。面ファスナー１４２は、例えば、接着剤を用いて表底基部１４０に固定される。
【００５２】
本実施の形態によれば、結合力が強い吸盤１４１を用いることにより、靴本体１１及び靴底１４を強固に結合させることができ、歩行中に靴底１４が靴本体１１から脱落するのを防止することができる。また、結合力が強い吸盤１４１を靴本体１１の底面の外縁を除く内側領域に配置することにより、靴本体１１から靴底１４を取り外す際に、てこの原理を利用して吸盤１４１による結合を解除することができる。このため、吸盤１４１によって強固に結合されていたとしても、靴底１４を靴本体１１から比較的容易に取り外すことができる。
【００５３】
また、靴底１４の長手方向に２以上の結合力が強い吸盤１４１を配列させることにより、歩行時に靴本体１１と靴底１４との間に隙間が生じ難くなり、装着感の低下を抑制することができる。
【００５４】
なお、本実施の形態では、面ファスナー１５及び吸着板１６が靴本体１１の底面に直接、取り付けられる場合の例について説明したが、本発明は、面ファスナー１５及び吸着板１６の取付方法をこれに限定するものではない。例えば、面ファスナー１５及び吸着板１６を靴本体１１の底面に所定の基材を介して固定するような構成であってもよい。
【００５５】
また、本実施の形態では、吸盤１４１が靴底１４に配置され、吸着板１６が靴本体側に配置される場合の例について説明したが、本発明は、吸盤を靴本体側に配置し、吸着板を靴底１４に配置するような構成であってもよい。
【００５６】
また、実施の形態１及び２では、靴１及び１ａが紳士用の靴である場合の例について説明したが、本発明は、女性用の靴や子供用の靴にも適用することができる。また、ローシューズやブーツにも本発明は適用することができる。
【符号の説明】
【００５７】
１      靴
１１    靴本体
１１１  甲革部
１１２  中底
１２    結合底板
１２０  基材
１２１  吸着板
１２２  ハトメ
１２３  面ファスナー
１３    靴底
１３０  表底基部
１３０ａ  取付面
１３０ｂ  側壁
１３１  磁石
１３２  磁石ホルダー
１３３  面ファスナー
１４    靴底
１４０  表底基部
１４１  吸盤
１４２  面ファスナー
１５    面ファスナー
１６    吸着板
【図１】
2018192006.tif 000003
【図２】
2018192006.tif 000004
【図３】
2018192006.tif 000005
【図４】
2018192006.tif 000006
【図５】
2018192006.tif 000007
【図６】
2018192006.tif 000008
【図７】
2018192006.tif 000009
【図８】
2018192006.tif 000010